(57)【要約】【課題】多端末間通信処理機能を簡易な構成で実現することができ、参加数に応じてフレキシブルに対応できるようにする。【解決手段】本発明のＩＰ交換機は、ＩＰ網に接続する複数のＩＰ通信端末間の呼接続を制御するＩＰ交換機において、呼接続を希望するＩＰ通信端末から呼接続要求を受けると、その接続要求先のＩＰ通信端末との間の呼接続を制御する呼接続制御手段と、多端末間通信を希望するＩＰ通信端末から多端末間通信要求を受けると、呼接続をしている１又は複数のＩＰ通信端末に対して当該多端末間通信への参加を呼びかける多端末間通信招集手段と、多端末間通信招集手段による呼びかけに対して、呼接続している各ＩＰ通信端末から参加要求を受けると、その参加要求してきた該各ＩＰ通信端末を参加端末とする多端末間通信を行なう多端末間通信処理手段とを備えることを特徴とする。【選択図】      図１
2007053527.tif 000002
【特許請求の範囲】
【請求項１】
ＩＰ網に接続する複数のＩＰ通信端末間の呼接続を制御するＩＰ交換機において、
呼接続を希望する上記ＩＰ通信端末から呼接続要求を受けると、その接続要求先の上記ＩＰ通信端末との間の呼接続を制御する呼接続制御手段と、
多端末間通信を希望する上記ＩＰ通信端末から多端末間通信要求を受けると、呼接続をしている上記１又は複数のＩＰ通信端末に対して当該多端末間通信への参加を呼びかける多端末間通信招集手段と、
上記多端末間通信招集手段による呼びかけに対して、呼接続している上記各ＩＰ通信端末から参加要求を受けると、その参加要求してきた該各ＩＰ通信端末を参加端末とする多端末間通信を行なう多端末間通信処理手段と
を備えることを特徴とするＩＰ交換機。
【請求項２】
上記多端末間通信処理手段が、
上記各参加端末から通信信号を受信したり、又は、通信信号の送信元以外の他の上記参加端末に通信信号を送信したりする信号通信部と、
上記信号通信部が受信した上記複数の参加端末から音声信号を受け取ると、送信元が送信した音声信号以外の他の音声信号を加算するように、音声信号を加算処理する加算処理部とを
有することを特徴とする請求項１に記載のＩＰ交換機。
【請求項３】
請求項１又は２に記載のＩＰ交換機に接続するＩＰ通信端末であって、上記ＩＰ交換機に対して多端末間通信の開催及び又は参加を要求する多端末間通信要求手段を備えることを特徴とするＩＰ通信端末。
【請求項４】
請求項１又は２に記載のＩＰ交換機と、請求項３に記載の複数のＩＰ通信端末とを有して構成されることを特徴とするＩＰ交換システム。
【発明の詳細な説明】
【技術分野】
【０００１】
本発明は、ＩＰ交換機、ＩＰ通信端末及びＩＰ交換システムに関し、例えば、複数のＩＰ（インターネットプロトコル）通信端末間で会議を形成するＩＰ交換システムと、そのＩＰ交換システムを構成するＩＰ交換機及びＩＰ通信端末に適用し得る。
【背景技術】
【０００２】
近年、ネットワーク上に呼制御サーバを備え、複数の通信端末（例えばＩＰ電話端末等）間で会議通話を実現する会議システムがある（特許文献１参照）。このような会議システムを実現する方法は種々の方式が考えられるが主に次のような方式がある。
【０００３】
図２（Ａ）は、回線交換機能部分に加算回路を設けて実現する会議システムを示すものであり、図２（Ｂ）は、ＩＰ端末に加算回路を設けて実現する会議システムを示すものである。
【０００４】
図２（Ａ）において、ＬＡＮ５１側と公衆網５２側との間で会議を開始する場合、コールコントロールユニット５３が、会議に係るＬＡＮ５１側及び公衆網５２側の複数の端末間をつなぎ込み、ＬＡＮ５１と公衆網５２との間に介在する加算回路５６が、会議に係る端末から受け取った音声を加算し、他の端末に対して与えるようにしている。
【０００５】
また、図２（Ｂ）において、各ＩＰ端末６２が加算回路を搭載しており、例えば、各端末６２における加算回路が受信した全参加者の音声を加算し、受信機に与えたり、又は会議招集者端末が全参加者の音声を受信して加算し、各参加者端末に加算した音声を与えたりしている。
【０００６】
【特許文献１】特開２００４−３５７２１８号公報
【発明の開示】
【発明が解決しようとする課題】
【０００７】
しかしながら、上述した図２（Ａ）に示すような従来の会議システムの場合、全ての端末を一旦回線交換機能につなぎ込む必要があるため、会議に参加する端末数分のハードウェアが必要であり、そのためのコストがかかるという問題がある。
【０００８】
また、上述した図２（Ｂ）に示すような従来の会議システムの場合、各端末に、会議に参加する端末数分の加算回路を備える必要があり、システム全体としてのコストが増加するという問題がある。また、各端末に加算回路の処理能力を確保する必要があった。
【０００９】
なお、上述した従来技術及び課題では会議に係る音声通話を例に挙げたが、複数の通信端末間で送受信されるメディアであれば、音声に限らず、画像データ、映像データ、オーディオデータ、ＦＡＸデータ等の加算処理についても同様の課題がある。
【００１０】
そのため、多端末間通信（例えば会議）処理機能を簡易な構成で実現することができ、参加数に応じてフレキシブルに対応できるＩＰ交換機、ＩＰ通信端末及びＩＰ交換システムが求められている。
【課題を解決するための手段】
【００１１】
かかる課題を解決するために、第１の本発明のＩＰ交換機は、ＩＰ網に接続する複数のＩＰ通信端末間の呼接続を制御するＩＰ交換機において、（１）呼接続を希望するＩＰ通信端末から呼接続要求を受けると、その接続要求先のＩＰ通信端末との間の呼接続を制御する呼接続制御手段と、（２）多端末間通信を希望するＩＰ通信端末から多端末間通信要求を受けると、呼接続をしている１又は複数のＩＰ通信端末に対して当該多端末間通信への参加を呼びかける多端末間通信招集手段と、（３）多端末間通信招集手段による呼びかけに対して、呼接続している各ＩＰ通信端末から参加要求を受けると、その参加要求してきた該各ＩＰ通信端末を参加端末とする多端末間通信を行なう多端末間通信処理手段とを備えることを特徴とする。
【００１２】
第２の本発明のＩＰ通信端末は、第１の本発明のＩＰ交換機に接続するＩＰ通信端末であって、ＩＰ交換機に対して多端末間通信の開催及び又は参加を要求する多端末間通信要求手段を備えることを特徴とする。
【００１３】
第３の本発明のＩＰ交換システムは、第１の本発明のＩＰ交換機と、第２の本発明の複数のＩＰ通信端末とを有して構成されることを特徴とする。
【発明の効果】
【００１４】
本発明のＩＰ交換機、ＩＰ通信端末及びＩＰ交換システムによれば、多端末間通信処理機能を簡易な構成で実現することができ、参加数に応じてフレキシブルに対応できる。
【発明を実施するための最良の形態】
【００１５】
（Ａ）第１の実施形態
以下、本発明のＩＰ交換機、ＩＰ通信端末及びＩＰ交換システムの第１の実施形態について図面を参照して説明する。
【００１６】
本実施形態は、ＩＰ交換機に収容される通信端末が、ＩＰ交換機の会議機能を利用して、公衆網側の通信端末も参加させた会議を開催する会議システムに、本発明のＩＰ交換システムを適用した場合を説明する。
【００１７】
なお、以下で説明する本実施形態ではＳＩＰ（Session  Initiation  Protocol）に従った呼制御方式を採用したものを示す。
【００１８】
（Ａ−１）第１の実施形態の構成
図１は、本実施形態に係るＩＰ交換機を用いた会議システムを構成する概略的な構成図である。
【００１９】
図１において、本実施形態に係る会議システム１は、ＳＩＰ−ＩＰ交換機１００、２台の内線ＳＩＰ端末２００（２００−１及び２００−２）、公衆網ＳＩＰサーバ３００、公衆網ＳＩＰ端末４００を少なくとも有して構成される。
【００２０】
図１において、ＳＩＰ−ＩＰ交換機１００が接続する公衆網は、本実施形態では公衆ＩＰネットワークを意図するものであるが、ＳＩＰ−ＩＰ交換機１００が接続する外部ネットワークであれば専用網であってもよい。また、この外部ネットワークは、有線回線、無線回線、又はこれらを結合させた回線であってよい。
【００２１】
また、ＳＩＰ−ＩＰ交換機１００が接続する内線網も、ＩＰ網を意図するものであり、有線回線、無線回線、又はこれらを結合させた回線であってよい。
【００２２】
なお、内線網側及び公衆網側に接続するＳＩＰ端末（内線ＳＩＰ端末２００及び公衆網ＳＩＰ端末４００）の数は、図１に示した数に限定されない。また、以下では３台のＳＩＰ端末間での会議通話について説明するがその会議参加数も特に限定されない。
【００２３】
ＳＩＰ−ＩＰ交換機１００は、収容する複数の内線ＳＩＰ端末２００間の呼接続を制御するものであり、また、公衆網ＳＩＰサーバ３００を通じて公衆網ＳＩＰ端末４００と内線ＳＩＰ端末２００との間の呼接続を制御するものである。
【００２４】
また、ＳＩＰ−ＩＰ交換機１００は、収容する内線ＳＩＰ端末２００からの要求により、他の内線ＳＩＰ端末２００及び公衆網ＳＩＰ端末４００が参加可能な会議を開催するものである。
【００２５】
ここで、ＳＩＰ−ＩＰ交換機１００の内部構成について図面を参照して説明する。図３は、ＳＩＰ−ＩＰ交換機１００の内部のハードウェア構成例を示すブロック図である。
【００２６】
図３において、ＳＩＰ−ＩＰ交換機１００は、ＣＰＵ１２１、例えばＲＯＭ、ＲＡＭ（例えばＥＥＰＲＯＭなどの不揮発性の書き換え可能なメモリを含む）等から構成されるメモリ１２２、回線側インタフェース１２３、ネットワーク側インタフェース１２４を有する。ＣＰＵ１２１は、ＳＩＰ−ＩＰ交換機１００の機能を司っているものであり、例えば、ＲＯＭに格納されている固定データやＲＡＭに格納されているテンポラリデータを用い、ＲＡＭをワーキングエリアメモリとして用いて、ＲＯＭに格納されている処理プログラムを実行することにより、ＳＩＰ−ＩＰ交換機１００の機能を実現するものである。本実施形態のＳＩＰ−ＩＰ交換機１００が実現する主な機能として、呼処理機能及び会議処理機能がある。
【００２７】
また、図１にはＳＩＰ−ＩＰ交換機１００が実現する機能ブロックを示し、以下では、これら各機能ブロックについて説明する。
【００２８】
図１に示すように、ＳＩＰ−ＩＰ交換機１００は、会議ＵＡ機能部１０１、ＤＳＰ（Ｎ−１加算方式）１０２、マルチラインサーバ機能部１０３、マルチラインＵＡ機能部１０４、ＳＩＰ−ＰＲＯＸＹ部１０５、内線ＵＡ機能部１０６、公衆ＶｏＩＰ接続機能部１０７、公衆ＵＡ機能部１０８、メディアスイッチ機能部１０９、保留音送出部１１０を有する。
【００２９】
ＳＩＰ−ＰＲＯＸＹ部１０５は、例えば、ＳＩＰプロトコルに従ったプロキシサーバであり、マルチラインＵＡ機能部１０４を介してマルチラインサーバ機能部１０３から受け取ったメッセージに基づいて、内線ＳＩＰ端末２００及び公衆網ＳＩＰ端末４００のメッセージルーティング処理、認証処理、登録処理等を行なうものである。
【００３０】
また、ＳＩＰ−ＰＲＯＸＹ部１０５は、ＳＩＰ端末２００及び４００とマルチラインＵＡ機能部１０４との間で授受されるメッセージの受け渡しをするものである。さらに、ＳＩＰ−ＰＲＯＸＹ部１０５は、マルチラインＵＡ機能部１０４と会議ＵＡ機能部１０１との間で授受されるメッセージの受け渡しをするものである。
【００３１】
会議ＵＡ機能部１０１は、内線ＳＩＰ端末２００からの要求に応じて会議通話を行なうものである。つまり、会議ＵＡ機能部１０１は、会議に参加するＳＩＰ端末２００及び４００からの音声信号をメディアスイッチ機能部１０９を通じて受信すると、その音声信号の送信元以外のＳＩＰ端末２００及び４００に当該音声信号を送信するようにして会議通話を行なうものである。
【００３２】
また、会議ＵＡ機能部１０１は、マルチラインＵＡ機能部１０４から会議に参加する複数の参加端末２００及び４００からの要求メッセージを受け取ると、ＤＳＰ１０２に加算処理開始を指示し、当該複数の参加端末２００及び４００から構成される会議を開催するものである。
【００３３】
ＤＳＰ１０２は、会議ＵＡ機能部１０１から加算処理開始の指示を受けると、会議ＵＡ機能部１０１の制御の下、会議に参加する参加端末２００及び４００からの音声信号について加算処理を行なう加算回路である。つまり、ＤＳＰ１０２は、メディアスイッチ機能部１０９から複数の参加端末２００及び４００が同時期に音声信号を受信した場合に、それら複数の音声信号を加算処理し、会議ＵＡ機能部１０１の制御の下、音声信号の送信元以外の参加端末２００及び４００に加算した音声信号を送信するものである。
【００３４】
また、ＤＳＰ１０２は、各参加端末２００及び４００から音声信号を受信したとき、全ての音声のレベルを同じレベルにするＡＧＣ（Auto  Gain  Control）機能を有する。これにより、音量が小さい音声でも、受信側では他の音声と同じ音量で聞くことができる。
【００３５】
マルチラインＵＡ機能部１０４は、ＳＩＰ−ＰＲＯＸＹ部１０５を通じて、ＳＩＰ端末２００及び４００、又は会議ＵＡ機能部１０１からメッセージを受け取ると、そのメッセージをマルチラインサーバ機能部１０３に与えるものである。また、マルチラインＵＡ機能部１０４は、マルチラインサーバ１０３からの指示に従って、ＳＩＰ端末２００及び４００、又は会議ＵＡ機能部１０１に指示に応じたメッセージを、ＳＩＰ−ＰＲＯＸＹ部１０５を介して与えるものである。なお、マルチラインＵＡ機能部１０４が授受するメッセージの詳細は動作の説明で詳細に説明する。
【００３６】
マルチラインサーバ機能部１０３は、マルチラインＵＡ機能部１０４からメッセージを受け取り、呼接続を確立させるためのキー番号及びダイヤル処理、接続制御処理、会議通話開始要求や、その他のＰＢＸサービスを提供するものである。
【００３７】
公衆ＵＡ機能部１０８は、公衆網側とのセッションを確立するために、公衆網側とメッセージを授受するものである。
【００３８】
公衆ＶｏＩＰ接続機能部１０７は、セッションを確立する際に、内線ＵＡ機能部１０６と公衆ＵＡ機能部１０８との間で授受されるメッセージを管理するものである。つまり、公衆ＶｏＩＰ接続機能１０７は、内線ＵＡ機能部１０６からメッセージを受け取ると、そのメッセージを公衆ＵＡ機能部１０８に与え、公衆ＵＡ機能部１０８からメッセージを受け取ると、そのメッセージを内線ＵＡ機能部１０６に与えるものである。
【００３９】
内線ＵＡ機能部１０６は、公衆ＶｏＩＰ接続機能部１０７から与えられたメッセージをＳＩＰ−ＰＲＯＸＹ部１０５に与えるものであり、またＳＩＰ−ＰＲＯＸＹ部１０５から与えられたメッセージを公衆ＶｏＩＰ接続機能部１０７に与えるものである。
【００４０】
メディアスイッチ機能部１０９は、呼確立後、内線ＳＩＰ端末２００と公衆網ＳＩＰ端末４００との間で授受される音声信号を受け取り、音声信号を相手先に与えるものである。
【００４１】
また、メディアスイッチ機能部１０９は、会議通話が開始されると、会議に参加するＳＩＰ端末２００及び４００から受信した音声信号を会議ＵＡ機能部１０１及びＤＳＰ１０２に与え、また会議ＵＡ機能部１０１及びＤＳＰ１０２により加算された音声信号を相手先に与えるものである。
【００４２】
保留音送出部１１０は、マルチラインサーバ機能部１０３からの指示に応じて、保留を指示されたＳＩＰ端末２００及び４００に送出するものである。
【００４３】
続いて、内線ＳＩＰ端末２００と公衆網ＳＩＰ端末４００の構成について説明する。内線ＳＩＰ端末２００及び公衆網ＳＩＰ端末４００は、例えば、ＩＰ電話端末や、ＩＰ電話機能を有するソフトウェアを実行できるパーソナルコンピュータ、ＩＰ電話機能搭載の無線通信機器（例えば、ＩＰ電話機能を有する移動通信電話機を含む）などが該当する。
【００４４】
図４では、ＩＰ電話端末とした場合の内線ＳＩＰ端末２００及び公衆網ＳＩＰ端末４００の内部構成例を示し、ＩＰ電話端末５００と示して説明する。
【００４５】
図４において、本実施形態のＩＰ電話端末５００（内線ＳＩＰ端末２００及び公衆網ＳＩＰ端末４００）は、ＩＰ網インタフェース５０１、ＤＳＰ５０２、コーデック５０３、増幅器５０４、電話機制御手段５０５、記憶手段５０６、信号生成手段５０７、ＬＥＤ（発光ダイオード）やＬＣＤ（液晶表示器）等の表示手段５０８、ダイヤルキー及び機能キー等の操作キー５０９、ハンドセット５１０、着信音を発生するスピーカ５１１などを備える。
【００４６】
ＩＰ網インタフェース５０１は、企業内ＩＰ網や公衆ＩＰ網などのＩＰ網と接続するものであり、電話機制御手段５０５の制御により、ＳＩＰ−ＩＰ交換機１００と音声信号や制御信号を送受信するものである。
【００４７】
ＤＳＰ５０２は、電話機制御手段５０５の制御により、ＩＰパケットをデジタル信号に変換してコーデック５０３に供給し、デジタル信号をＩＰパケットに変換してＩＰ網インタフェース５０１に供給するものである。コーデック５０３は、電話機制御手段５０５の制御により、ＤＳＰ５０２から供給されるデジタル信号をアナログの音声信号に変換して増幅器５０４に供給し、増幅器５０４から供給される音声信号に符号化を施してデジタル信号とし、ＤＳＰ５０２に供給するものである。増幅器５０４は送話アンプ、受話アンプ、スピーカアンプなどで構成され、受話音声信号や送話音声信号を増幅するものである。信号生成手段５０７は、各種のトーンなどを生成するものである。
【００４８】
表示手段５０８、ハンドセット５１０及びスピーカ５１１の機能説明は省略する。また、操作キー５０９は、ＩＰ電話端末としての電話番号を入力するキー等のほかに、会議通話を開始させる会議通話要求キーがある。利用者が、この会議通話要求キーを選択することで、ＳＩＰ−ＩＰ交換機１００に対して会議通話を開始させることを要求できる。
【００４９】
記憶手段５０６は、書き換え可能なＲＡＭ等のメモリで構成され、電話機制御手段５０５の制御の下、操作キー５０９が操作されると、当該ＩＰ電話端末５００の電話番号などのデータや、当該ＩＰ電話端末５００のデータや登録端末のデータとして登録しているＳＩＰ−ＩＰ交換機１００のＩＰアドレスなどのデータ５０６ａ等を記憶しているものである。
【００５０】
電話機制御手段５０５は、マイクロプロセッサを基本に各種処理機能、演算機能、一時記憶手段、タイマ等を備え、ＩＰ網インタフェース５０１、ＤＳＰ５０２、コーデック５０３、増幅器５０４、記憶手段５０６、信号生成手段５０７、表示手段５０８、操作キー５０９などの動作を制御するものである。
【００５１】
電話機制御手段５０５は、操作キー５０９から供給されるキー情報に基づいて、当該ＩＰ電話端末５００が動作可能状態になった場合に、自己を収容可能なＳＩＰ−ＩＰ交換機１００に、自端末のデータを登録端末として登録させるものである。
【００５２】
ここで、登録端末とは、サービスの提供有無に拘わらず、そのＳＩＰ−ＩＰ交換機１００が、その端末へのサービスを提供する際に、必要な端末データ（いわゆる局データ）をもっている端末として登録されているものである。ＳＩＰ−ＩＰ交換機１００側には、例えば、登録端末の電話番号、キー割り付けなどのデータが予め登録されている。
【００５３】
また、会議開始を要求するＩＰ電話端末５００においては、電話機制御手段５０５は、ＳＩＰ−ＩＰ交換機１００による呼制御がなされ呼が確立した後、利用者により選択された会議通話要求キー５０９からのキー情報に基づいて、ＳＩＰ−ＩＰ交換機１００に対して会議開始要求メッセージを送信させるものである。
【００５４】
また、電話機制御手段５０５は、サービスの提供を受けている最中において、そのサービス提供元のＳＩＰ−ＩＰ交換機１００から、サービス強制停止の通知が与えられた際には、表示手段５０８からその旨を表示させ、及び又は、信号生成手段５０７を制御してハンドセット５１０又はスピーカ５１１からその旨を発音出力させる。
【００５５】
（Ａ−１）第１の実施形態の動作
次に、本実施形態に係るＳＩＰ−ＩＰ交換機１００を利用した会議システム１の動作について図面を参照して説明する。
【００５６】
図５は、ＳＩＰ−ＩＰ交換機１００において授受されるメッセージの流れを説明する説明図である。また、図６は、ＳＩＰ−ＩＰ交換機１００を通じた音声信号の流れを説明する説明図である。また、図７及び図８は、本実施形態に係る会議通話の接続シーケンスである。
【００５７】
以下では、図７及び図８の接続シーケンスに基づいてＳＩＰ端末２００−１、２００−２及び４００間の三者間で会議通話が実現されるまでの動作を、図５及び図６を参照しながら説明する。
【００５８】
図７では、まず、内線ＳＩＰ端末２００−２と公衆網ＳＩＰ端末４００とが、ＳＩＰ−ＩＰ交換機１００を介して通話しているものとする（Ｓ１）。なお、両ＳＩＰ端末２００−１及び４００間の呼制御処理の詳細については省略する。
【００５９】
ここで、会議通話前の内線ＳＩＰ端末２００−２と公衆網ＳＩＰ端末４００との間で授受される音声信号は、図６の矢印「１」に示すように、ＳＩＰ−ＩＰ交換機１００のメディアスイッチ機能部１０９を経由して送信先に与えられる。
【００６０】
その後、内線ＳＩＰ端末２００−１、２００−２及び公衆網ＳＩＰ端末４００の間で会議通話を開始するため、内線ＳＩＰ端末２００−２から会議要求を行なう。
【００６１】
このとき、内線ＳＩＰ端末２００−２の利用者は、内線ＳＩＰ端末２００−２に搭載されている保留キーを選択する（Ｓ２）。
【００６２】
利用者が保留キーを選択すると、Ｒｅ−ＩＮＶＩＴＥ（保留を要求するメッセージ）が、内線ＳＩＰ端末２００−２からＳＩＰ−ＩＰ交換機１００のＳＩＰ−ＰＲＯＸＹ部１０５を介してマルチラインＵＡ機能部１０４に与えられる。
【００６３】
そして、Ｒｅ−ＩＮＶＩＴＥがマルチラインＵＡ機能部１０４に与えられると、マルチラインＵＡ機能部１０４が保留の旨をマルチラインサーバ機能部１０３に通知し、マルチラインサーバ機能部１０３が保留音を送出するよう保留音送出部１１０に指示する（Ｓ３）。
【００６４】
マルチラインサーバ機能部１０３から保留音の送出指示を受けると、保留音送出部１１０は、図６の「２」に示すように、保留音を公衆網ＳＩＰ端末４００に与える（Ｓ４）。
【００６５】
またこのときの、ＳＩＰ−ＩＰ交換機１００と、内線ＳＩＰ端末２００及び公衆網ＳＩＰ端末４００との間で授受されるメッセージの流れは、図５の矢印「Ａ」に示すようにして授受される。
【００６６】
すなわち、内線ＳＩＰ端末２００のＵＡ機能とマルチラインＵＡ機能部１０４との間で授受されるメッセージはＳＩＰ−ＰＲＯＸＹ部１０５を介して授受される。
【００６７】
また、公衆網ＳＩＰ端末４００のＵＡ機能からマルチラインＵＡ機能部１０４へのメッセージは、公衆ＵＡ機能部１０８に与えられ、その後公衆ＶｏＩＰ接続機能部１０７を介して内線ＵＡ機能部１０６に与えられ、さらにＳＩＰ−ＰＲＯＸＹ部１０５を介してマルチラインＵＡ機能部１０４に与えられる。また、マルチラインＵＡ機能部１０４から公衆網ＳＩＰ端末４００へのメッセージは、内線ＵＡ機能部１０６に与えられ、その後公衆ＶｏＩＰ接続機能部１０７を介して公衆ＵＡ機能部１０８に与えられて、公衆ＵＡ機能部１０８から公衆網ＳＩＰ端末４００に与えられる。
【００６８】
Ｓ４において、公衆網ＳＩＰ端末４００が保留されると、利用者は、内線ＳＩＰ端末２００−１のダイヤル番号を入力する（Ｓ５）。そして、内線ＳＩＰ端末２００−１に対する呼接続要求（ＩＮＶＩＴＥ）が、内線ＳＩＰ端末２００−２からＳＩＰ−ＩＰ交換機１００に与えられる（Ｓ６）。
【００６９】
このとき、内線ＳＩＰ端末２００−２から内線ＳＩＰ端末２００−１へのＩＮＶＩＴＥは、ＳＩＰ−ＰＲＯＸＹ部１０５を通じてマルチラインＵＡ機能部１０４に与えられ、内線ＳＩＰ端末２００−１への発信指示が、マルチラインＵＡ機能部１０４からマルチラインサーバ機能部１０３に与えられる（Ｓ６）。
【００７０】
マルチラインサーバ機能部１０３において内線ＳＩＰ端末２００−１への発信指示が与えられると、内線ＳＩＰ端末２００−２から着信があった旨が、マルチラインサーバ機能部１０３からマルチラインＵＡ機能部１０４に指示され（Ｓ７）、内線ＳＩＰ端末２００−２からのＩＮＶＩＴＥとして、マルチラインＵＡ機能部１０４から内線ＳＩＰ端末２００−１に与えられる（Ｓ７）。
【００７１】
そして、両ＳＩＰ端末２００−１及び２００−２とのそれぞれが通話ＯＫであれば、内線ＳＩＰ端末２００−１と内線ＳＩＰ端末２００−２との間で通話が開始される（Ｓ８）。
【００７２】
この内線ＳＩＰ端末２００−１の呼接続処理に係る制御信号は、図５の「Ａ」に示す経路で授受され、内線ＳＩＰ端末２００−１の呼が接続されると、図６の「２」に示すように経路で両ＳＩＰ端末２００−１及び２００−２間で音声信号が流れる。
【００７３】
内線ＳＩＰ端末２００−１を含め３台のＳＩＰ端末の呼が接続すると、利用者は、内線ＳＩＰ端末２００−２の会議開始要求キーを選択する（Ｓ９）。
【００７４】
そして、会議開始要求を示すＳＵＢＳＣＲＩＢＥが、内線ＳＩＰ端末２００−２からＳＩＰ−ＰＲＯＸＹ部１０５を通じてマルチラインＵＡ機能部１０４に与えられると、マルチラインＵＡ機能部１０４から会議要求が、マルチラインサーバ機能部１０３に与えられる（Ｓ１０）。
【００７５】
マルチラインＵＡ機能部１０４から会議要求を受けると、マルチラインサーバ機能部１０３は、呼接続しているＳＩＰ端末２００−２、２００−１及び４００に対して会議招集を呼びかけるようマルチラインＵＡ機能部１０４に指示する。そして、会議招集指示を受けたマルチラインＵＡ機能部１０４は、ＳＩＰ端末２００−２、２００−１及び４００に対して会議招集を呼びかけるＮＯＴＩＦＹを送信する（Ｓ１１）。
【００７６】
そして、会議への参加を希望するＳＩＰ端末２００−１、２００−２及び４００から、会議への参加要求を示すＲｅ−ＩＮＶＩＴＥが、各ＳＩＰ端末２００−１、２００−２及び４００からマルチラインＵＡ機能部１０４に与えられる（Ｓ１２）。
【００７７】
マルチラインＵＡ機能部１０４は、各ＳＩＰ端末２００−１、２００−２及び４００からＲｅ−ＩＮＶＩＴＥを受信すると、それぞれのＳＩＰ端末から会議への参加要求があったことをマルチラインサーバ機能部１０３に通知する（Ｓ１２）。
【００７８】
また、マルチラインサーバ機能部１０３では、会議への参加を要求してきたＳＩＰ端末を管理しており、各ＳＩＰ端末２００−１、２００−２及び４００から会議への参加要求があった旨を会議ＵＡ機能部１０１に知らせるようマルチラインＵＡ機能部１０４に通知する（Ｓ１３）。
【００７９】
そして、マルチラインＵＡ機能部１０４は、各ＳＩＰ端末２００−１、２００−２及び４００から会議への参加要求を示すＲｅ−ＩＮＶＩＴＥを会議ＵＡ機能部１０１に通知する（Ｓ１４）。
【００８０】
ここで、会議ＵＡ機能部１０１は、図５の「Ｂ」に示すように、ＳＩＰ−ＰＲＯＸＹ部１０５を通じてマルチラインＵＡ機能部１０４とメッセージの授受を行なうことで、マルチラインサーバ機能部１０３との間で情報交換をする。
【００８１】
マルチラインＵＡ機能部１０４からＲｅ−ＩＮＶＩＴＥを受信すると、会議ＵＡ機能部１０１は、会議参加を要求してきたＳＩＰ端末２００−１、２００−２及び４００からの音声信号について加算処理を行なうことをＤＳＰ１０２に指示する（Ｓ１５）。
【００８２】
ＤＳＰ１０２において当該会議に係る加算処理の実行がセットされると、会議ＵＡ機能部１０１から会議開始の指示（２００ＯＫメッセージ）が、マルチラインＵＡ機能部１０４に与えられる（Ｓ１６）。
【００８３】
会議ＵＡ機能部１０１から会議開始の指示（２００ＯＫメッセージ）が与えられると、マルチラインＵＡ機能部１０４は、会議開始の指示を受けた旨をマルチラインサーバ機能部１０３に与える（Ｓ１７）。
【００８４】
マルチラインサーバ機能部１０３は、マルチラインＵＡ機能部１０４を介して会議ＵＡ機能部１０１から会議開始指示を受けると、各ＳＩＰ端末２００−１、２００−２及び４００に対して会議を開始する旨を通知するようマルチラインＵＡ機能部１０４に通知する（Ｓ１８）。
【００８５】
そして、マルチラインＵＡ機能部１０４は、会議ＵＡ機能部１０１から会議開始があったことを示すＲｅ−ＩＮＶＩＴＥを、各ＳＩＰ端末２００−１、２００−２及び４００に与え（Ｓ１９）、各ＳＩＰ２００−１、２００−２及び４００間で会議通話が開始される（Ｓ２０）。
【００８６】
なお、会議開始後のＳＩＰ端末２００−１、２００−２及び４００間の会議通話に係る音声信号は、図６の矢印「３」に示すように授受される。
【００８７】
すなわち、ＳＩＰ端末２００−１、２００−２及び４００からの音声信号がメディアスイッチ機能部１０９に与えられると、会議ＵＡ機能部１０１及びＤＳＰ１０２に与えられ、音声信号の加算処理が行なわれる。そして、加算処理された音声がメディアスイッチ機能部１０９から各ＳＩＰ端末２００−１、２００−２及び４００に与えられる。
【００８８】
また、ＳＩＰ−ＩＰ交換機１００の会議ＵＡ機能部１０１及びＤＳＰ１０２による音声信号の加算処理について図９のイメージ図を参照して説明する。
【００８９】
図９においては、内線ＳＩＰ端末２００−１及び２００−２はメディアスイッチ機能部１０９の内線側インタフェースに接続し、公衆網ＳＩＰ端末４００はメディアスイッチ機能部１０９の公衆網側インタフェースに接続している場合を示す。
【００９０】
また、内線ＳＩＰ端末２００−１及び２００−２からの音声信号を「Ａ」及び「Ｂ」とし、公衆網ＳＩＰ端末４００からの音声信号を「Ｃ」とする。
【００９１】
図９において、各ＳＩＰ端末２００−１、２００−２及び４００から、それぞれの音声信号「Ａ」、「Ｂ」、「Ｃ」がメディアスイッチ機能部１０９に与えられると、それぞれの音声信号「Ａ」、「Ｂ」、「Ｃ」は、会議ＵＡ機能部１０１及びＤＳＰ１０２に与えられる。会議ＵＡ機能部１０１では、それぞれの音声のレベルが所定のレベルになるようにレベル調整する。
【００９２】
そして、例えば、内線ＳＩＰ端末２００−１に音声信号を送信する場合には、内線ＳＩＰ端末２００−２及び公衆網ＳＩＰ端末４００からの音声信号を加算した加算信号「Ｂ＋Ｃ」を、メディアスイッチ機能部１０９を通じて送信する。
【００９３】
同様にして、内線ＳＩＰ２００−２には、内線ＳＩＰ端末２００−１及び公衆網ＳＩＰ端末４００からの加算信号「Ａ＋Ｃ」を送信し、公衆網ＳＩＰ端末４００には、内線ＳＩＰ端末２００−１及び２００−２からの加算信号「Ａ＋Ｂ」を送信する。
【００９４】
このようにすることで、自端末の音声信号以外の他の端末からの音声信号（加算信号）を受信することができる。
【００９５】
（Ａ−３）第１の実施形態の効果
以上のように、本実施形態によれば、会議ＵＡ機能部１０１及びＤＳＰ１０２を備えることにより、ＳＩＰ−ＩＰ交換機１００が会議機能を本体に収容することができ、各ＳＩＰ端末はソフトウェアを変更するのみで会議通話ができる。
【００９６】
また、本実施形態によれば、会議ＵＡ機能部１０１を設けることで、端末が有するＵＡ機能部などと同様モジュールで実現することができ、ソフトウェアの構成が簡易になる。
【００９７】
さらに、本実施形態によれば、ＳＩＰ−ＩＰ交換機１００に機能を集約することができ、かつ、ソフトウェアで実現できるので、処理能力の確保のみが必要であり、トータルのハードウェアの巨大化を回避できる。
【００９８】
また、ＤＳＰの処理能力次第で、会議開催数をフレキシブルに対応できる。
【００９９】
（Ｂ）他の実施形態
上述した第１の実施形態では、音声通信とする場合について説明したが、他のメディアデータ（例えば、画像データ、映像データ、オーディオデータ、ＦＡＸデータ等）を通信するネットワークシステムにも適用できる。
【０１００】
上述した第１の実施形態では、呼制御方式としてＳＩＰプロトコルを採用した場合を示したが、ＳＩＰプロトコルに限らず、その他のプロトコル（例えば、Ｈ．３２３等）にも適用できる。
【図面の簡単な説明】
【０１０１】
【図１】第１の実施形態のＩＰ交換機を用いた会議システムの構成を示す構成図である。
【図２】従来の会議システムの構成を示す構成図である。
【図３】第１の実施形態のＳＩＰ−ＩＰ交換機内部のハードウェア構成例を示すブロック図である。
【図４】第１の実施形態のＳＩＰ端末の内部構成例を示すブロック図である。
【図５】第１の実施形態のＳＩＰ−ＩＰ交換機において制御信号の流れを示す説明図である。
【図６】第１の実施形態のＳＩＰ−ＩＰ交換機において音声信号の流れを示す説明図である。
【図７】第１の本実施形態に係る会議通話を実現するまでの接続シーケンス図である（１）。
【図８】第１の本実施形態に係る会議通話を実現するまでの接続シーケンス図である（２）。
【図９】第１の実施形態における加算処理を説明する説明図である。
【符号の説明】
【０１０２】
１…会議システム、１００…ＳＩＰ−ＩＰ交換機、１０１…会議ＵＡ機能部、１０２…ＤＳＰ（Ｎ−１加算方式）、１０３…マルチラインサーバ機能部、１０４…マルチラインＵＡ機能部、１０５…ＳＩＰ−ＰＲＯＸＹ部、１０６…内線ＵＡ機能部、１０７…公衆ＶｏＩＰ機能部、１０８…公衆ＵＡ機能部、１０９…メディアスイッチ機能部、１１０…保留音送出部、２００（２００−１及び２００−２）…内線ＳＩＰ端末、４００…公衆網ＳＩＰ端末。
【図１】
2007053527.tif 000003
【図２】
2007053527.tif 000004
【図３】
2007053527.tif 000005
【図４】
2007053527.tif 000006
【図５】
2007053527.tif 000007
【図６】
2007053527.tif 000008
【図７】
2007053527.tif 000009
【図８】
2007053527.tif 000010
【図９】
2007053527.tif 000011